(57)【要約】【課題】燃料電池に複数個使用される単セルの圧力損失の特性に基づくグループ分けをより精度よく行う。【解決手段】酸化ガス通路の圧力損失を予め定めた流量ごとに求め、各圧力損失に基づいて各流量でのランク付けを行う。さらに各流量におけるランクが流量ごとにそれぞれ同一の単セルを集めることでグループ分けを行う。このようにしてグループ分けされた単セルにより燃料電池の組み付けを行う。【選択図】図１
2008097937.tif 000002
【特許請求の範囲】
【請求項１】
燃料電池に複数個使用される単セルに設けられた少なくとも１つの媒体通路の圧力損失を少なくとも２つの所定の流量において求める圧力損失算出工程と、
各圧力損失に基づいて単セルのグループ分けを行い、同じグループに属する単セルを集めて組み付ける組み付け工程と、
を含む燃料電池の組み付け方法。
【請求項２】
請求項１に記載の組み付け方法において、
前記組み付け工程では、各流量における圧力損失が流量ごとに同一の所定範囲に属する単セルを同一のグループとなるようにグループ分けを行う、
ことを特徴とする燃料電池の組み付け方法。
【請求項３】
燃料電池に複数個使用される単セルに設けられた少なくとも１つの媒体通路の圧力損失を少なくとも２つの所定の流量において求め、求めた各圧力損失に基づいて単セルのグループ分けを行い、同じグループに属する単セルを集めて組み付けた燃料電池。
【発明の詳細な説明】
【技術分野】
【０００１】
本発明は、燃料電池及び燃料電池の組み付け方法に関する。
【背景技術】
【０００２】
従来、燃料電池としては、膜電極接合体（Ｍｅｍｂｒａｎｅ Ｅｌｅｃｔｒｏｄｅ Ａｓｓｅｍｂｌｙ、以下ＭＥＡという）を２つのセパレータで挟み込んで構成された単セルを複数積層したものが知られている。ＭＥＡは、両面に触媒電極としての白金が塗布された電解質膜と、この電解質膜を挟み込むガス拡散電極とから構成されている。ＭＥＡのうち、一方の面に形成された触媒電極とガス拡散電極とがアノードを構成し、他方の面に形成された触媒電極とガス拡散電極とがカソードを構成する。そして、アノードに面するセパレータには、燃料ガスとしての水素ガスを単セル内に行き渡らせるための燃料ガス通路が形成され、カソードに面するセパレータには、酸化ガスとしてのエアを単セル内に行き渡らせるための酸化ガス通路が形成されている。
【０００３】
ところで、燃料電池を構成する各単セルの出力電圧のばらつきが大きくなると、燃料電池全体としての性能が低下することがある。
【０００４】
特許文献１には、燃料電池を運転制御するにあたり、単セルごとの出力電圧をモニタしてその標準偏差を求め、その標準偏差に基づいて電流密度、反応ガス流量あるいは反応ガス圧力を制御することにより、各単セルの出力電圧のばらつきを抑制する技術が開示されている。
【０００５】
また、単セルの出力電圧のばらつきは、単セルを構成する電極やセパレータなどの構成部品の形状（厚さ、密度など）のばらつきや、セパレータを電解質膜に接着する際のシール部材の使用量のばらつきなど製造条件のばらつきにより生じる場合がある。
【０００６】
そこで、特許文献２には、単セルの圧力損失を求めて、圧力損失に基づいて各単セルをランク分けし、同等ランクの単セルを集めて燃料電池を構成することで、出力電圧のばらつきを抑制する技術が開示されている。
【０００７】
【特許文献１】特開２０００−２０８１６１号公報
【特許文献２】特開２００３−１５１６０４号公報
【発明の開示】
【発明が解決しようとする課題】
【０００８】
特許文献１のように、単セルの出力電圧に基づいて電流密度、反応ガス流量あるいは反応ガス圧力を制御したとしても、単セルの出力電圧のばらつきを抑えるのには限界がある。
【０００９】
また、特許文献２では、特定の流量のガスを各単セルに流し、圧力損失を求めているが、流量の大きさによって単セルの圧力損失は変化する。そのため、特定の流量における圧力損失のみで各単セルのランク分けを行うと、圧力損失の異なる単セルを同一ランクに分けてしまう場合がある。この場合、このランクに基づいて同等ランクの単セルを集めて燃料電池を構成したとしても、出力電圧のばらつきを抑制できない場合がある。
【００１０】
本発明は、燃料電池を構成する各単セルの圧力損失に基づくグループ分けをより精度よく行うことを目的とする。
【課題を解決するための手段】
【００１１】
本発明に係る燃料電池の組み付け方法は、燃料電池に複数個使用される単セルに設けられた少なくとも１つの媒体通路の圧力損失を少なくとも２つの所定の流量において求める圧力損失算出工程と、各圧力損失に基づいて単セルのグループ分けを行い、同じグループに属する単セルを集めて組み付ける組み付け工程とを含むことを特徴とする。
【００１２】
本発明に係る燃料電池の組み付け方法の１つの態様では、前記組み付け工程において、各流量における圧力損失が流量ごとに同一の所定範囲に属する単セルを同一のグループとなるようにグループ分けを行うことを特徴とする。
【００１３】
本発明に係る燃料電池は、燃料電池に複数個使用される単セルに設けられた少なくとも１つの媒体通路の圧力損失を少なくとも２つの所定の流量において求め、求めた各圧力損失に基づいて単セルのグループ分けを行い、同じグループに属する単セルを集めて組み付けられることを特徴とする。
【発明の効果】
【００１４】
本発明によれば、燃料電池を構成する各単セルの圧力損失に基づくグループ分けをより精度よく行うことができる。
【発明を実施するための最良の形態】
【００１５】
本発明を実施するための最良の形態を具体的に示した実施形態について、以下図面を参照して説明する。
【００１６】
図１は、本実施形態において、単セル１０の圧力損失を検査する圧力損失検査システムである。
【００１７】
単セル１０は、ＭＥＡ２０を第１セパレータ３０と第２セパレータ４０とで挟み込んだものであり、単セル１０を基本単位として、単セル１０を複数積層したスタック構造により燃料電池は構成される。
【００１８】
ＭＥＡ２０は、膜電極接合体であって、電解質膜を挟んで水素極（以下、アノードと称する）と酸素極（以下、カソードと称する）とを配置して構成される。
【００１９】
第１セパレータ３０及び第２セパレータ４０は、ガス不透過の電導性部材、例えば、カーボンを圧縮してガス不透過として成形カーボンにより形成される。第１セパレータ３０には燃料ガス通路が形成され、さらに燃料ガス通路へ燃料ガスを供給するための燃料ガス供給孔部および同通路から燃料ガスを排出するための燃料ガス排出孔部が形成される。また、第２セパレータ４０には酸化ガス通路が形成され、さらに酸化ガス通路へ酸化ガスを供給するための酸化ガス供給孔部および同通路から酸化ガスを排出するための酸化ガス排出孔部が形成される。
【００２０】
このように構成された単セル１０に対して、本実施形態では、図１に示すような圧力損失検査システムにより、酸化ガス通路における圧力損失を測定する。
【００２１】
まず、単セル１０の第１セパレータ３０に第１シールプレート６０を密着させ、第１セパレータ３０に形成された給排用の各孔部を塞ぎ、第２セパレータ４０に第２シールプレート６２を密着させ、第２セパレータ４０に形成された給排用の各孔部を塞ぐ。各シールプレート６０，６２は、単セル１０と接触する面がゴム面になっており、このゴム面によって各孔部を気密に塞ぐ。また、第２シールプレート６２には、側面から酸化ガス供給孔部に対向する位置までを貫通する導入孔６２ａと、酸化ガス排出孔部に対向する位置までを貫通する導出孔６２ｂとが形成されている。
【００２２】
導入孔６２ａに接続されたガス供給ラインＬｉｎには、上流側から元圧を安定させるレギュレータ５０、ガス中の粉塵を除去するフィルタ５２、流量を制御する絞り弁５６、単セル１０に供給されるガス圧を測定する第１圧力計５８が設置されている。一方、導出孔６２ｂに接続されたガス排出ラインＬｏｕｔには、単セル１０から排出されたガス圧を測定する第２圧力計６４、ガス流れの絞りを調整する絞り弁６６が設置されている。
【００２３】
単セル１０の圧力損失を測定する際には、ガス供給ラインＬｉｎに圧縮ガスを供給し、レギュレータ５０を所定の元圧とし、フローコントローラ５４で流量を調整し、絞り弁５６，６６で絞りを調整する。さらに、第１圧力計５８を読み取って供給側のガス圧とし、第２圧力計６４を読み取って排出側のガス圧とし、供給側のガス圧に対する排出側のガス圧の変化量を求め、その変化量に基づいて圧力損失を求める。変化量は、例えば、供給側のガス圧と排出側のガス圧との差分を用いることができる。
【００２４】
本実施形態では、予め定められた複数の流量において単セル１０の圧力損失を求め、各圧力損失に基づいて予め定められたランクに照らしてランク分けを行い、各流量におけるランクの組み合わせに基づいて単セル１０のグループ分けを行う。
【００２５】
以下、説明を簡単にするために、２段階の流量における圧力損失を求める場合を例にさらに説明する。
【００２６】
まず、酸化ガス通路の圧力損失には所定の許容範囲がある。そこで、図２に示すように、この許容範囲を、２以上の小範囲に分割して、各小範囲に対してそれぞれ第１ランク、第２ランク、・・・第ｎランクと予めランク付けを行っておく。なお、このランク付けは、流量ごとに定めてもよい。
【００２７】
図３は、流量が多い場合と、少ない場合で、それぞれ各単セル（Ａ〜Ｆ）の圧力損失を求め、各圧力損失に対するランクを表にまとめたものである。図３に示すように、流量が異なると、単セルのランクが異なることがある。よって、１つの特定の流量に対する圧力損失で単セルのランクを求め、そのランクに基づいて単セルのグループ分けを行うと、同一グループ内に性能の異なる単セルが混在する場合がある。特に、流量が多い場合と少ない場合とで、ランクが正反対となる単セルも同一グループとなってしまう場合がある。そこで、本実施形態では、複数の流量でそれぞれ圧力損失を求め、さらに流量ごとにランクを求め、各ランクの組み合わせが同一の単セルが同一グループになるようにグループ分けを行う。このようにグループ分けを行うことで、流量が異なる場合でも同等な性能を有する単セルを同一グループにすることができ、より精度よく単セルのグループ分けを行うことができる。
【００２８】
従来、例えば、車両用の燃料電池を構築する場合、車両出力が高い領域を想定して、ガス流量を設定し、その流量での圧力損失のみに基づいてランク分けを行っていた。しかし、例えば、車両が定常使用時やアイドリング時などガス流量が異なる場合、燃料電池を構成する各単セルの性能にばらつきが生じることがあった。
【００２９】
一方、本実施形態では、複数の流量でそれぞれ圧力損失を求め、各圧力損失のおけるランク付けを行い、各流量におけるランクの組み合わせに基づいて単セルのグループ分けを行う。よって、広範囲の流量において性能が同等である単セルを同一グループとすることができ、同一グループの単セルを組み合わせて燃料電池を構成することができる。よって、広範囲の流量において各単セルの出力電圧のばらつきを抑制することができる。
【００３０】
なお、上記では、酸化ガス通路の圧力損失に基づいて単セルのランク付けを行ったが、燃料ガス通路の圧力損失に基づいて行ってもよい。また、単セルを冷却するための水が通る冷却水通路の圧力損失に基づいて単セルのランク付けを行ってもよい。
【００３１】
さらに、各通路の各流量における各ランクの組み合わせにより単セルのグループ分けを行ってもよい。すなわち、酸化ガス通路、燃料ガス通路、冷却水通路の圧力損失を、予め定めた流量ごとに求め、各流量でのランク付けを行う。そして、各通路の各流量におけるランクが流量ごとに同一なものを集めることで、グループ分けする。このようにしてグループ分けされた単セルにより燃料電池の組み付けを行うことで、各通路の各流量における圧力損失のばらつきを抑制することができるため、各単セルの出力電圧のばらつきをさらに抑制することができる。
【００３２】
図４は、各通路の圧力損失を２段階の流量で求め、各圧力損失に基づいて各流量におけるランク付けを行った場合の各単セルのランクを示す。図４に示すランク付けが行われた場合、例えば単セルＡと単セルＤとが同一グループに属し、単セルＣと単セルＦとが同一グループに属することになる。
【００３３】
なお、単セルのグループ分けは例えば燃料電池の製造時に行い、グループ分けの結果に基づいて同一グループに属する単セルを集めて組み付けることで燃料電池を製造すればよい。
【図面の簡単な説明】
【００３４】
【図１】本実施形態における単セルの圧力損失検査システムの構成を示す図である。
【図２】圧力損失とランクとの関係を示す図である。
【図３】２段階の流量において酸化ガス通路の圧力損失を求め、各圧力損失に基づいて単セルのランク付けを行った場合の結果を示す図である。
【図４】２段階の流量において酸化ガス通路、燃料ガス通路、冷却水通路の圧力損失をそれぞれ求め、各圧力損失に基づいて単セルのランク付けを行った場合の結果を示す図である。
【符号の説明】
【００３５】
１０  単セル、３０  第１セパレータ、４０  第２セパレータ、５０  レギュレータ、５２  フィルタ、５４  フローコントローラ、５６，６６  絞り弁、５８  第１圧力計、６０  第１シールプレート、６２  第２シールプレート、６４  第２圧力計。
【図１】
2008097937.tif 000003
【図２】
2008097937.tif 000004
【図３】
2008097937.tif 000005
【図４】
2008097937.tif 000006